(57)【要約】      （修正有）【課題】綴じ手帳型ダイアリーを、システム手帳型ダイアリーのように中身を自分仕様の手帳にカスタマイズできること。日記帳についても翌年にまたがって継続使用を可能とするもの。ダイアリーは軽く薄く携行性に優れたもの。仕組みが簡単で市販単価も安く設定できるものであること。【解決手段】綴じ手帳型ダイアリーの年間計画表、月間予定表及び日記帳、メモノート帳、アドレス記入帳及び便利資料をそれぞれ分割して小冊子とし、各小冊子の裏表の表紙に、剥離紙付の粘着剥離可能な粘着部を設けて、各小冊子を粘着により連結、剥離により切離して差替えできる構造とする。粘着部で連結した各小冊子の綴じ部背面を粘着剥離可能な製本テープ４で綴じて補強し、これを差込式表紙カバー５に装着する。また、月間予定表及び日記帳は、１年を２ヶ月あるいは３ヶ月毎の小冊子に分割して１年分とし、それぞれの小冊子の裏表の表紙に、剥離紙付の粘着剥離可能な粘着部を設けて、各小冊子を粘着による連結、剥離による切離しで各小冊子を差替えできる構造とする。【選択図】図１
0003104026.tif 000002
【実用新案登録請求の範囲】
【請求項１】
綴じ手帳型ダイアリーの年間計画表、月間予定表及び日記帳、メモノート帳、アドレス記入帳、年齢早見表や路線図等の便利資料をそれぞれ分割して小冊子とし、各小冊子の裏表の表紙に、剥離紙付の粘着剥離可能な粘着剤を塗布した粘着部を設けて、各小冊子を粘着部の粘着により連結し、あるいは粘着部からの剥離により小冊子の切離しで、別の小冊子への差替えを可能とし、連結した複数の小冊子の綴じ部背面を粘着剥離可能な製本テープで綴じ、これを差込式表紙カバーに装着した、差替型ダイアリー。
【請求項２】
月間予定表及び日記帳小冊子は、１年を２ヶ月あるいは３ヶ月毎の小冊子に分割して１年分とし、それぞれの小冊子の裏表の表紙に、剥離紙付の粘着剥離可能な粘着剤を塗布した粘着部を設けて、各小冊子を粘着による連結、剥離による切離しで各小冊子を差替えできる構造とした、請求項１に記載の、差替型ダイアリー。
【考案の詳細な説明】
【技術分野】
【０００１】  本考案は綴じ手帳型ダイアリーの年間計画表、月間予定表及び日記帳、メモノート帳、アドレス記入帳、便利資料等を各小冊子に分割して、連結や切離しで差替えることができる構造とした、差替型ダイアリーに関するものである。
【背景技術】
【０００２】  ダイヤリーは大別してシステム手帳型と、綴じ手帳型がある。システム手帳型は予定表や日記帳等各種リフィルを、バインダーに自由に組み込む事でダイアリーを編集できる、中身の入替えが自在で自分仕様の使いやすいダイアリーが作れる、しかしバインダー用紙は穴があいた部分に、硬質のプラスチックや金属のホルダーを通し綴じているため破れ易い、したがって用紙は強度を保つため厚く重くなる、その上にシステム手帳本体の金具の重量も加わり更に厚く重い物となる、販売価格は構成部品が多い分綴じ手帳型より高いものとなっている。綴じ手帳型は１冊に１年間の年間計画表、月間予定表、日記帳、メモノート帳、アドレス記入帳、年齢早見表路線図等の便利資料が綴じ込まれているため、ページの増減や入替えができない不便さがあるが、比較的安価で購入し易く利用者が多い、綴じ手帳型で背広の内ポケットにしまえるような小形サイズは安価であるため、企業は年末の定番贈答品としてカレンダーと共にお得意様に配られている。
綴じ手帳型とシステム手帳型の併用技術では、年間を１月から６月までと７月から１２月までに２分冊としたダイアリーが市販さてれいる、仕様は年間カレンダー、月間予定表、日記帳、アドレス記入帳が綴じられており、２冊以上纏めて綴じる工夫としては、２穴のバインダー孔を設けて、２穴のバインダーで連結が可能な綴じ手帳となっている。先行技術文献では、ダイアリー用綴じ手帳型で単独の用途別冊子、あるいは冊子の連結することについて粘着を利用しようとする技術は見当たらない。
【考案の開示】
【考案が解決しようとする課題】
【０００３】  綴じ手帳型を改良し、システム手帳型のように中身の入替えを可能とし、自分仕様の使い易い手帳にカスタマイズできるようにすること。月間予定表、日記帳の追加を可能とし、次年度にまたがって継続使用できるようにすること。アドレス記入帳は複数年にまたがり継続使用し、メモノート帳についても繰返し確認するような重要な記載は長く留め置きたい。ダイアリーが厚く重くならず携行性に優れ、安価に提供できるようにすること。
【課題を解決するための手段】
【０００４】  綴じ手帳型ダイアリーの年間計画表、月間予定表及び日記帳、メモノート帳、アドレス記入帳、年齢早見表や路線図等の便利資料をそれぞれ分割して小冊子とし、各小冊子の裏表の表紙に、剥離紙付の粘着剥離可能な粘着剤が塗布した粘着部を設けて、各小冊子を粘着部の粘着により連結を可能とし、あるいは粘着部からの剥離により小冊子の切離しで、別の小冊子への差替えを可能とする。連結した複数の小冊子の綴じ部背面を粘着剥離可能な製本テープで綴じ、これを差込式表紙カバーに装着する。
また、月間予定表と日記帳小冊子は、１年を２ヶ月あるいは３ヶ月毎の小冊子に分割して１年分とし、それぞれの小冊子の裏表の表紙に、剥離紙付の粘着剥離可能な粘着剤を塗布した粘着部を設けて、各小冊子を粘着により連結、剥離による切離しで各小冊子を差替えできる構造とする。
【考案の効果】
【０００５】（イ）  従来の綴じ手帳型に一括して綴じ込まれていた、１年間の年間計画表、月間予定表及び日記帳、メモノート帳、アドレス記入帳、年齢早見表や路線図等の便利資料をパーツ化した小冊子にし、必要とする小冊子を組み立て使用することとしたので、利用者が最も使用し易い形態のダイアリーを提供できる。
（ロ）  月間予定表及び日記帳小冊子は、１年を２ヶ月あるいは３ヶ月単位に分割した冊子で、必要とする月の月間予定表及び日記帳小冊子を差込むため、薄くて軽く携帯に便利である。
（ハ）  アドレス小冊子やメモノート小冊子を、差替えることなく複数年にまたがり継続使用するもすることで、従来実施していたダイアリー更新の都度の、書き写し作業を省くことができる。
（ニ）  ダイアリー用小冊子は、金具等のホルダーを使用しないため用紙は薄いものを使用できる、したがって軽くて薄いダイアリーとなる。
（ホ）  ダイアリー用小冊子は、粘着部や製本テープにより容易に素早く、しかも確実に製本できる。
（ヘ）  差替型ダイアリーは、ダイアリー用小冊子の数が多くて厚くなった場合であっても、各小冊子の綴じ部背面を製本テープで綴じるので、冊子全体が安定して使い勝手もよい。
（ト）  本考案の差替型ダイアリーは、携帯中の表紙を保護するため差込式表紙カバーを活用する。差込式表紙カバーはＡ版又はＢ版サイズが単品でも市販されており、好みの色やデザインの差込式表紙カバーを選択でき、自分仕様マイダイアリーとして差別化できる楽しみがある。
（チ）  粘着部は紙やプラスチックフィルム等にも粘着可能で、名刺フォルダー、カードフォルダー等も組合せて使用でき、ダイアリーの機能アップが可能である。
（リ）  差替えにより取外した月間予定表及び日記帳小冊子も、年月順に粘着部で順次張り合わせる事で、１年あるいは数年をまとめた保存用冊子を作ることができる。
本考案は以上のように多くの効果がある。
【考案を実施するための最良の形態】
【０００６】  ダイアリー用小冊子は、年間計画表小冊子（３ａ）、月間予定表及び日記帳小冊子（３ｂ）、メモノート小冊子（３ｃ）、アドレス小冊子（３ｄ）そして便利資料小冊子（３ｅ）からなり、該各小冊子の表表紙（６）及び裏表紙（７）に、剥離紙（２）付の粘着剥離可能な粘着剤を塗布した粘着部が設けられている。
上記、剥離紙（２）を剥がすことにより粘着部が露出するので、年間計画表小冊子（３ａ）、月間予定表及び日記帳小冊子（３ｂ）、メモノート小冊子（３ｃ）、アドレス小冊子（３ｄ）そして便利資料小冊子（３ｅ）の順に粘着部により連結し、綴じ部背面（８）に粘着剥離可能な製本テープ（４）を貼って補強し、これを差込式表紙カバー（５）に装着する。
月間予定表及び日記帳小冊子（３ｂ）は、１年が２ヶ月あるいは３ヶ月毎の小冊子に分割されているので、その時に必要な月数分の小冊子を綴じればよい。
【実施例】
【０００７】  まず、ダイアリー用小冊子で、見開きの最初となる年間計画表小冊子（３ａ）を裏表紙を上にして置く。次に月間予定表及び日記帳小冊子（３ｂ）を同様に裏表紙を上にして、年間計画表小冊子（３ａ）の上に重ね置く。重なる裏表の表紙の角角を揃え、上になる月間予定表及び日記帳小冊子（３ｂ）中ほどを軽く押さえ、下の年間計画表小冊子の裏表紙の見開き近くの粘着部（１ｃ）についている剥離紙（２）を剥がし、上下の小冊子の表紙相互の見開き部をまず粘着する。続いて、下の年間計画表小冊子の裏表紙綴じ部近くの粘着部（１ｂ）と、上の月間予定表及び日記帳小冊子（３ｂ）の、表表紙綴じ部近くの粘着部（１ａ）についている剥離紙（２）を剥がし、２冊の重なった表紙面を粘着する。３冊目以降連結する小冊子も前記と同様に粘着する、全ての粘着が終了したら、各小冊子がバラケないように製本テープ（４）で綴じ部背面を貼り補強する。製本されたダイアリー冊子の裏表の表紙を差込式表紙カバー（５）に収める。【０００８】  ダイアリー小冊子の差替えはまず製本テープを剥がす、続いて替えようとするダイアリー小冊子の表紙と、前後する小冊子の表紙で粘着部により貼り合せた部分を丁寧に剥がし、連結した小冊子を分離する。新たに差込むダイアリー小冊子の追加は前項手順で粘着部により粘着し、製本テープで製本する。更新したダイアリーの裏表の表紙を、差込式表紙カバーに収める。
【図面の簡単な説明】
【０００９】
【図１】    差替型ダイアリーが、差込式表紙カバーに挿入された状態を表す斜視図である。
【図２】    ダイアリー用小冊子の正面図である。
【図３】    ダイアリー用小冊子の裏面図である。
【図４】    差替型ダイアリーの製本完成の上面図である。
【図５】    差替型ダイアリーの製本完成の正面斜視図である。
【符号の説明】
１ａ    表表紙の綴じ部近くの粘着部
１ｂ    裏表紙の綴じ部近くの粘着部
１ｃ    裏表紙の見開き部近くの粘着部
２      剥離紙
２ａ    剥がした状態の剥離紙
３ａ    年間計画表小冊子
３ｂ    月間予定表及び日記帳小冊子
３ｃ    メモノート小冊子
３ｄ    アドレス小冊子
３ｅ    便利資料小冊子
４      製本テープ
５      差込式表紙カバー
６      ダイアリー用小冊子の表表紙
７      ダイアリー用小冊子の裏表紙
８      綴じ部背面
９      見開き部
【図１】
0003104026.tif 000003
【図２】
0003104026.tif 000004
【図３】
0003104026.tif 000005
【図４】
0003104026.tif 000006
【図５】
0003104026.tif 000007